(57)【要約】   【課題】  操作部材が正方向に回転されたときのみ形状部材を開閉でき、逆方向に回転されたときは開閉できないようにすることで操作ミスを解消でき、かつ安価に構成できる意外性に富んだ開閉式玩具の提供。  【解決手段】  閉状態でその内側に空間部（８０）を形成し、開状態で前記空間部を露出する形状を有する複数の形状部材（２０、２０、...）と、前記形状部材の夫々を開閉可能に回動軸支する本体（２）と、前記本体に対して回転可能に設けられる操作部材（１３）と、前記操作部材への回転力を軸方向力に変換して、前記軸方向力により前記形状部材を開閉させる変換機構部（２５、３５、４０）と、前記変換機構部を常時付勢して、前記形状部材を前記開状態から前記閉状態に回動させる付勢部材（４５）とを備える。【選択図】  図３
2006239011.tif 000002
【特許請求の範囲】
【請求項１】
閉状態でその内側に空間部を形成し、開状態で前記空間部を露出する形状を有する複数の形状部材と、
前記形状部材の夫々を開閉可能に回動軸支する本体と、
前記本体に対して回転可能に設けられる操作部材と、
前記操作部材への回転力を軸方向力に変換して、前記軸方向力により前記形状部材を開閉させる変換機構部と、
前記変換機構部を常時付勢して、前記形状部材を前記開状態から前記閉状態に回動させる付勢部材と、を備え、
前記本体に対し、前記操作部材を正方向に回転させることにより前記形状部材が前記閉状態から前記開状態に回動されるとともに、前記本体に対し、前記操作部材を逆方向に回転させることによりその回転が規制されることを特徴とする開閉式玩具。
【請求項２】
前記変換機構部は、
前記操作部材に固定されるとともに、端面において第１傾斜面を形成した第１カム部材と、
前記本体の長手方向に移動可能かつ前記操作部材の回転方向に不動状態で案内されるとともに、前記第１傾斜面に当接する第２傾斜面を一端面に形成し、他端面において前記付勢部材の接続部を形成し、さらに前記形状部材の作用端が潜入する溝部を外周面に形成した第２カム部材と、から構成され、
前記操作部材の回転にともない前記第１傾斜面が前記第２傾斜面に対して摺接することで前記形状部材を前記閉状態から前記開状態に回動させるとともに、前記第１傾斜面の前記第２傾斜面に対する摺接状態が解除されると、前記形状部材を前記開状態から前記閉状態に回動させるとともに、
前記第１カム部材と前記第２カム部材は、前記第１傾斜面の前記第２傾斜面に対する摺接状態が解除されると、前記操作部材を逆方向に回転させることを規制する規制部を形成したことを特徴とする請求項１に記載の開閉式玩具。
【請求項３】
前記空間部には、前記形状部材の夫々を開閉可能に回動軸支する蓋部と、装飾体とを一体成型した蓋体が配設されることを特徴とする請求項１または２に記載の開閉式玩具。
【請求項４】
前記形状部材は、少なくとも２個、望ましくは４個、または８個以下が設けられることを特徴とする請求項１乃至３のいずれか１項に記載の開閉式玩具。
【請求項５】
前記形状部材は、前記回動軸支される軸支部材と形状部とから構成され、前記軸支部材を前記本体に対して組み付け後に、前記形状部を前記軸支部材に嵌合させて固定することを特徴とする請求項１乃至４のいずれか１項に記載の開閉式玩具。
【請求項６】
前記装飾体は、透明カプセル入り人形であり、前記形状部材は前記閉状態において前記透明カプセルを包み込む花びらを模したものであることを特徴とする請求項４乃至５のいずれか１項に記載の開閉式玩具。
【発明の詳細な説明】
【技術分野】
【０００１】
本発明は、開閉式玩具に係り、意外性を考慮したことから、例えば子供用玩具として特に好適な開閉式玩具に関するものである。
【背景技術】
【０００２】
意外性を考慮した開閉式玩具が、例えば子供用玩具として従来より実用化されている。例えば、ハンドが開閉動作するマジックハンドを模したおもちゃがある。
【０００３】
一方、サイドにクリップを設けたシャープぺンシルにおいて、本体軸体の端部に、閉状態でその内側にめしべを配置し、開状態でめしべを露出する形状を有する複数の花びらを設けておき、シャープ芯の送り出しのためのノック動作と花びらを開閉する動作をクリップの出し入れにより個別かつ選択的に行えるように構成された筆記具について提案されている。（特許文献１）
【特許文献１】実開平７−３７６８７号公報明細書。
【発明の開示】
【発明が解決しようとする課題】
【０００４】
上記の特許文献１の提案になる筆記具は、クリップを本体軸体の側面から突出させた状態と、埋設させた状態にしか移動できないので操作を誤ることはない。
【０００５】
一方、閉状態でその内側に空間部を形成し、開状態で空間部を露出する形状を有する複数の花びらを本体軸体の端部において開閉可能に回動軸支し、本体軸体に対して回転可能に設けられる操作部材を設けておき、この操作部材の回転操作による回転力を軸方向力（操作部材の長手方向への力）に変換して、この軸方向力により花びらを開閉させることも可能となる。
【０００６】
しかし、この場合において、操作部材が本体軸体に対する正逆方向に回転されると、花びらの開閉動作に支障を来すこととなる。
【０００７】
したがって、本発明は上記の問題点に鑑みて成されたものであり、操作ミスを排除した手動操作式とすることで安価に構成することができ、かつ意外性に富んだ開閉式玩具の提供を目的としている。
【課題を解決するための手段】
【０００８】
上述した課題を解決し、目的を達成するために、本発明によれば、閉状態でその内側に空間部（８０）を形成し、開状態で前記空間部を露出する形状を有する複数の形状部材（２０、２０、...）と、前記形状部材の夫々を開閉可能に回動軸支する本体（２）と、前記本体に対して回転可能に設けられる操作部材（１３）と、前記操作部材への回転力を軸方向力に変換して、前記軸方向力により前記形状部材を開閉させる変換機構部（２５、３５、４０）と、前記変換機構部を常時付勢して、前記形状部材を前記開状態から前記閉状態に回動させる付勢部材（４５）と、を備え、前記本体に対し、前記操作部材を正方向に回転させることにより前記形状部材が前記閉状態から前記開状態に回動されるとともに、前記本体に対し、前記操作部材を逆方向に回転させることによりその回転が規制されることを特徴としている。
【０００９】
また、前記変換機構部は、前記操作部材に固定されるとともに、端面において第１傾斜面（２８）を形成した第１カム部材（２５）と、前記本体の長手方向に移動可能かつ前記操作部材の回転方向に不動状態で案内されるとともに、前記第１傾斜面に当接する第２傾斜面（４８）を一端面に形成し、他端面において前記付勢部材の接続部（４４）を形成し、さらに前記形状部材の作用端が潜入する溝部（４１）を外周面に形成した第２カム部材（４０）と、から構成され、前記操作部材の回転にともない前記第１傾斜面が前記第２傾斜面に対して摺接することで前記形状部材を前記閉状態から前記開状態に回動させるとともに、前記第１傾斜面の前記第２傾斜面に対する摺接状態が解除されると、前記形状部材を前記開状態から前記閉状態に回動させるとともに、前記第１カム部材と前記第２カム部材は、前記第１傾斜面の前記第２傾斜面に対する摺接状態が解除されると、前記操作部材を逆方向に回転させることを規制する規制部（２９、４９）を形成したことを特徴としている。
【００１０】
また、前記空間部には、前記形状部材の夫々を開閉可能に回動軸支する蓋部（５６）と、装飾体（９０）とを一体成型した蓋体（５５）が配設されることを特徴としている。
【００１１】
また、前記形状部材は、少なくとも２個、望ましくは４個、または８個以下が設けられることを特徴としている。
【００１２】
また、前記形状部材は、前記回動軸支される軸支部材（１５）と形状部（２３）とから構成され、前記軸支部材を前記本体に対して組み付け後に、前記形状部を前記軸支部材に合させて固定することを特徴としている。
【００１３】
そして、前記装飾体は、透明カプセル（６１、６２）入り人形であり、前記形状部材は前記閉状態において前記透明カプセルを包み込む花びらを模したものであることを特徴としている。
【発明の効果】
【００１４】
本発明によれば、操作部材が正方向に回転されたときのみ形状部材を開閉でき、逆方向に回転されたときは開閉できないようにすることで操作ミスを解消でき、かつ安価に構成できる意外性に富んだ開閉式玩具が提供できる。
【発明を実施するための最良の形態】
【００１５】
以下に、本発明の好適な一実施形態について添付の各図面を参照して述べる。ここで、本発明は様々な修正と変更が可能であり、その内の特定の事例が図面に図示されており、以下に詳細に記述されることになる。
【００１６】
しかしながら、これらに限定されず特許請求の範囲に規定される範囲において種々の構成が可能であることは言うまでもない。
【００１７】
先ず、図１(ａ)は、本発明の一実施形態である開閉式玩具１を斜め上から見た外観斜視図、図１(ｂ)は、図１(ａ)を上方から見た上面図である。
【００１８】
先ず、図１(ａ)において、この開閉式玩具１はチューリップの花の中から親指姫が出現することを想定したものであり、主に女児をそのユーザの対象としている。このため外観上において豪華な装飾を随所に施している。また、これから述べる構成部品は、ネジ類を除いて所定樹脂材料（耐衝撃性を有する熱可塑性樹脂であり例えばＡＢＳ樹脂）を用いた射出成型部品であり適宜ふさわしい色に着色されるか、または予め樹脂チップに顔料他の着色料を混ぜて射出成形品を得るようにしている。
【００１９】
また、図示のように４枚の花びら２０が閉状態に位置するときに、透明アクリル樹脂製のクラウン１６０は４枚の花びら２０により、取り囲まれている。この開閉式玩具１のサイズは適宜設定可能であり、例えば高さが約１０ｃｍ以内、本体２と一体化される操作部材３２、３３の直径寸法が１５ｍｍ前後、形状部材である４枚の花びら２０、２０、...の外周の直径寸法が４ｃｍ前後に設定される。
【００２０】
このように比較的に小型であることから、開閉式玩具１を例えば子供用のおまけ商品としても提供できることとなる。また、全体の構成部品を上記のように極力樹脂化することで軽量化と低価格化を図っており、さらには組み立て容易性も考慮しているので、プラモデルの組み立てキットとしても提供することができる。また、構成部品は樹脂製に限定されず、金属性、木製、ガラス製でもよく、またこれらの材料から製作された構成部品を適宜組み合わせても良い。
【００２１】
次に、図１(ｂ)において、各花びら２０には凹状の溝部２３ａが夫々形成されており、各溝部２３ａが本体２に固定された十字部材７０の頂点部分に夫々図示のように潜入することで、各花びら２０が閉状態においてがたつかないようにして、搬送時の音対策および破損対策を図っている。
【００２２】
次に、図２は、図１の開閉式玩具１の使用状態を示す外観斜視図である。本図において、ユーザが本体２を右手指先で把持し、後述するように一体化された操作部材３２、３３を左手指先で把持した後に矢印Ｄ１方向（正方向）に回転すると、各花びら２０、２０、...が矢印Ｄ２方向に回転速度に応じて同時に開き出し、クラウン１６０から離れる。最終位置にまで各花びら２０、２０、...が開くと中の空間部８０が外部に露出する。この空間部８０には透明カプセル６２に入った物品である親指姫人形が設けられており、ユーザはこれを見て楽しむか、友達とともに楽しく遊べることとなる。
【００２３】
引き続いて、図３は、図１の開閉式玩具１の立体分解図である。本図においても、既に説明済みの構成または部品については同様の符号を附して説明を割愛すると、手動の回転操作が行われる操作部材３２、３３は、図示のように左右に分割されるとともに、上下のネジ６０を一方のネジ孔３３ｂ、３３ｂに挿入後にスタッド部３２ｂ、３２ｂに対してセルフタッピングで螺合させて合体される。この合体の前に、本体２に予め固定されている破線図示のストッパー部材３５の左右突起部３５ａ、３５ａを操作部材３２、３３の溝部３３ａ（破線図示）と溝部３２ａに潜入させることで、操作部材とストッパー部材とを合体化して、操作部材の回転力をストッパー部材に伝達可能とするとともに、操作部材が本体に対して脱落しないように組み付けられる。
【００２４】
本体２には、破線図示の中空孔部が形成されており、その底面において第１カム部材２５の摺動面２６を軸支するための貫通孔が形成されている。また、この第１カム部材２５の下方には廻り止め形状部３０が形成されており、上記のストッパー部材３５のメス孔部３５ｂがこの廻り止め形状部３０に対して嵌合され、不図示の係止部が互いに係止することで、操作部材の回転力をストッパー部材を介して第１カム部材２５に伝達可能とするとともに、操作部材が本体から脱落しないように構成されている。廻り止め形状部３０は回転力が作用したときに変形するので金属棒がインサート成型される。
【００２５】
本体２の中空孔部には、スリーブ部材９が挿入される。このスリーブ部材９の貫通孔１１（破線図示）の内周面には上下方向にキー１０が一体成型されており、上記の第１カム部材２５をセットした後に第２カム部材４０をこのスリーブ部材９の貫通孔１１に挿入するときに、第２カム部材４０に形成されたキー溝４７がキー１０に入るようにして組み付けられることで、第２カム部材４０が本体２の長手方向（上下方向）に移動可能かつ操作部材の回転方向には不動状態となるようにスリーブ部材９内で案内されるように構成されている。
【００２６】
一方、第１カム部材２５は図示の上側の端面において第１傾斜面２８を形成しており、この第１傾斜面２８の端部においてさらに図示のような規制部２９を形成している。
【００２７】
また、第２カム部材４０は第１傾斜面２８に当接する第２傾斜面４８（破線図示）を図示の下方側の一端面に形成しており、この第２傾斜面４８の端部において規制部４９を形成している。さらにこの第２カム部材４０は上側の他端面において付勢部材である圧縮コイルスプリング４５の接続部４４を連続形成しており、さらに形状部材である花びら２０に固定される軸支部材１５の作用端が潜入する溝部４１を、上作用部４３と下作用部４２の間に形成している。
【００２８】
次に、１枚のみ図示し、残り３枚の花びら２０については省略して示した花びら２０の内周面２３上には弾性変形のために左右の溝部２２、２２を有した受け部２１が一体成形されており、この受け部２１の孔部に対して軸支部材１５のフランジ１８に形成された球状頭部１７を圧入させ嵌合させることで花びらと軸支部材とを一体化するように構成されている。このように別部品とした理由は、軸支部材１５を本体２に対する回動軸支状態にしてから蓋体５５で蓋をしてネジ６０で固定するときに花びら２０が邪魔になるので、最初に軸支部材を本体に対して組み付け可能にすることによる。したがって、このネジ止め作業に花びらが邪魔にならない場合には一体化しても良いこととなる。
【００２９】
軸支部材１５には左右面から軸支部１６、１６が図示のように突出して形成されており、これらの軸支部１６、１６を本体２の左右の軸支面３（一方のみ図示）上に置くために、本体２の４方の溝部４に軸支部材１５、１５、...を図示のようにセットする。このときスリーブ部材９の溝部１２の縁部でも軸支部１６が保持されることとなる。
【００３０】
４本の軸支部材１５のセットが終えたら、蓋部材５５を上から被せてから４個所のネジ孔５７にネジ６０をセットし、本体１の上面７のネジ穴８に対して螺合させて固定することで、４本の軸支部材１５が回動可能な状態となるので続いて花びらを固定する。
【００３１】
蓋部材５５には上記の十字部材７０に加えて親指姫人形９０の円形固定面と、クラウン１６０の固定部５９と、上記の圧縮コイルバネ４５の当接面および４本の軸支部材１５の蓋部となる底面５６が図示のように一体形成されている。また、親指姫人形９０の固定面の前後には、透明カプセル６１、６２が嵌合される孔部が４箇所穿設されている。以上の手順で開閉式玩具１が完成される。
【００３２】
図４(ａ)は、形状部品の花びら２０を閉状態にした様子を模式図的に示した変換機構部の動作説明図、図４(ｂ)は、花びら２０を開状態にした様子を模式図的に示した変換機構部の動作説明図である。
【００３３】
本図において、形状部品である１枚の花びら２０のみが図示されているが、残り３枚の花びら２０についても同様に開閉動作するので省略している。また、既に説明済みの構成または部品については同様の符号を附して説明を割愛する。
【００３４】
先ず、図４(ａ)において、操作部材が回転されない状態では、第２カム部材４０は圧縮コイルバネ４５の圧縮作用によって上作用部４３が破線図示の位置するさらに下方位置に移動されている。また、その軸部１６が本体２において上記のように回動可能に軸支された軸支部材１５の上作用端１５ａと下作用端１５ｂは溝部４１に対して潜入するとともに、上作用部４３に対して上作用端１５ａが当接することでさらに花びら２０が破線図示の位置まで回動されて空間部８０（破線図示）を完全に覆う状態になるように構成されている。
【００３５】
一方、操作部材が回転操作されるにともない、第１カム部材２５が矢印方向に移動されることで、第１傾斜面２８が第２カム部材４０の第２傾斜面４８に対して摺接する。この結果、第２カム部材４０が上方に移動される結果、軸支部材１５の上作用端１５ａが上作用部４３に当接して実線図示の位置まで回動されて、花びら２０を矢印Ｄ２方向に回動する。
【００３６】
これに続き、さらに操作部材が回転操作されると図４(ｂ)に図示のように、第１カム部材２５が最終位置まで移動されることで、第１傾斜面２８が第２カム部材４０の第２傾斜面４８に対して図示のような位置関係になる。この結果、第２カム部材４０が上方の最高位置まで移動される結果、軸支部材１５の下作用端１５ｂが下作用部４２に当接して図示の位置まで回動されて、花びら２０を矢印Ｄ２方向に回動することで最後の位置まで開く状態にする。以上のようにして操作部材の回転操作に伴い４枚の花びら２０の開閉を行うことができる。
【００３７】
操作部材が正方向（図４(ａ)の矢印方向）に回転されたときのみ開閉を行い、逆方向に回転されたときには開閉できないようにするために、図４(ａ)において第１カム部材２５の規制部２９が、第２カム部材４０に対して摺接移動されて規制部４９を超える位置まで回転されると、規制部同士が当接して逆方向には回転できないように構成されている。
【００３８】
最後に、図５(ａ)〜(ｃ)は、別実施形態の開閉式玩具１の要部を示した外観斜視図である。本図において、既に説明済みの構成または部品については同様の符号を附して説明を割愛すると、先ず図５(ａ)において、上記の操作部材３２、３３を左手指先で把持した後に回転すると、形状部材である半分の桃２０が図示のように左右に分かれるように二重矢印方向に互いに離れ始めて、最終位置にまで各桃２０、２０が開くと中の空間部から桃太郎人形９０が外部に露出するように構成されている。
【００３９】
また、図５(ｂ)において、空間部には樹脂製の模型ダイヤモンド９０が設けられており、形状部品であるカバー２０、２０、...が回動可能に６個以上設けられており、この模型ダイヤモンド９０をカバーで覆う状態とダイヤモンド９０を外部に露出するようにして遊べるようにしている。
【００４０】
そして、図５(ｃ)において、空間部には模型の不死鳥９０が設けられており、操作部材３２、３３を回転すると、形状部品である左右の翼２０、２０が広がり中から模型不死鳥９０が現れる。また、操作部材３２、３３をさらに回転すると、左右の翼２０、２０は閉じるが、操作部材を回転しつづけると羽ばたくようにして遊ぶことができる。
【図面の簡単な説明】
【００４１】
【図１】(ａ)は、本発明の一実施形態である開閉式玩具１を斜め上から見た外観斜視図、(ｂ)は、図１(ａ)を上方から見た上面図である。
【図２】図１の開閉式玩具１の使用状態を示す外観斜視図である。
【図３】図１の開閉式玩具１の立体分解図である。
【図４】(ａ)は、形状部品を閉状態にするための変換機構部の様子を模式図的に示した動作説明図、(ｂ)は、形状部品を閉状態にするための変換機構部の様子を模式図的に示した動作説明図である。
【図５】(ａ)〜(ｃ)は、別実施形態の開閉式玩具１の要部を示した外観斜視図である。
【符号の説明】
【００４２】
１ 開閉式玩具
２  本体
９  スリーブ部材
１０  キー
１５  軸支部材
１６  軸支部
２０  花びら、桃、カバー、翼（形状部材）
２５  第１カム部材
２８  第１傾斜面
３２、３３  操作部材
３５  ストッパー部材
４０  第２カム部材
４８  第２傾斜面
５５  蓋体
８０  空間部
【図１】
2006239011.tif 000003
【図２】
2006239011.tif 000004
【図３】
2006239011.tif 000005
【図４】
2006239011.tif 000006
【図５】
2006239011.tif 000007